(57)【要約】  ２つまたは複数の管を含む先端（４）であって、２つまたは複数の管が少なくとも外管（２０）と内管（２４）を含む先端（４）と、長手軸を有するロッキングスプライン（３４）とスライドロック（４４）を含む機械的筐体（８）と、を含むブレードアセンブリ（２）において、スライドロックがロッキングスプラインの長手軸に沿ってロッキングスプラインの周囲でスライドしてロック状態を確立し、それによってロッキングスプラインの長手軸の周囲でのロッキングスプラインの回転運動が阻止され、外管がロッキングスプラインに連結されて、ロック状態にある時にロッキングスプラインの長手軸の周囲での外管の回転運動が阻止される。
2016507342.tif 000002
【特許請求の範囲】
【請求項１】
ａ．２つまたはそれ以上の管を含む先端（４）であって、２つまたはそれ以上の管が少なくとも
ｉ．外管（２０）と、
ｉｉ．内管（２４）と、
を含むような先端（４）と、
ｂ．機械的筐体（８）であって、
ｉ．長手軸を有するロッキングスプライン（３４）と、
ii．スライドロック（４４）と、
を含むような機械的筐体（８）と、
を含むブレードアセンブリ（２）において、
スライドロックがロッキングスプラインの長手軸に沿ってロッキングスプラインの周囲でスライドしてロック状態を確立し、ロッキングスプラインの長手軸の周囲でのロッキングスプラインの回転運動が阻止され、
外管がロッキングスプラインに連結されて、ロック状態にある時にロックキングスプラインの長手軸の周囲での外管の回転運動が阻止される、
ブレードアセンブリ（２）。
【請求項２】
請求項１に記載のブレードアセンブリにおいて、
スライドロックが、スライドロックをロックレバーに接続する作動接続部（４６）を含む、ブレードアセンブリ。
【請求項３】
請求項１〜２のいずれか１項に記載のブレードアセンブリにおいて、
機械的筐体がスライドロックを少なくとも部分的に覆う制御筐体（７２）と接続筐体（７４）を含み、
ロックレバーが接続筐体まで及び、ロックレバーが露出されて使用者が作動できるようになっている、
ブレードアセンブリ。
【請求項４】
請求項１〜３のいずれか１項に記載のブレードアセンブリにおいて、
付勢部材（４０）がスライドロックとロッキングスプラインとの間に位置付けられ、付勢部材が、スライドロックをロッキングスプラインから外れるように移動させてロック解除状態を確立する、ブレードアセンブリ。
【請求項５】
請求項１〜４のいずれか１項に記載のブレードアセンブリにおいて、
２つまたはそれ以上の管の少なくとも１つがスライドロックを通って延び、
外管がスロットを含む、
ブレードアセンブリ。
【請求項６】
請求項１〜５のいずれか１項に記載のブレードアセンブリにおいて、
スライドロックが、ロッキングスプラインの１つ以上のリブと対応する１つ以上の歯（４８）を含み、スライドロックがロッキングスプラインの周囲でスライドしてロック状態になると、１つ以上のリブと１つ以上の歯が固定接続を確立し、外管とロッキングスプラインの一方または両方の回転を阻止する、ブレードアセンブリ。
【請求項７】
請求項１〜６のいずれか１項に記載のブレードアセンブリにおいて、
前記ロッキングスプラインが、外管のスロットに対応して外管とロッキングスプラインが固定接続を確立するようにするタブ（２８）を含むことを特徴とするブレードアセンブリ。
【請求項８】
請求項１〜７のいずれか１項に記載のブレードアセンブリにおいて、
スライドロックがコレット（５４）の中に格納され、コレットがハンドピースの中へと延びて、ブレードアセンブリをハンドピースに接続するのを支援し、コレットがハンドピースに固定されて、コレットが回転運動、横方向移動、長手方向移動、またはこれらの組合せを行わないようになっている、ブレードアセンブリ。
【請求項９】
請求項１〜８のいずれか１項に記載のブレードアセンブリにおいて、
先端の少なくとも２つの管が３つの管を含み、外管が、曲げ部を形成して外管内に位置付けられている中間管と内管がある角度で曲げられるような剛なシースである、ブレードアセンブリ。
【請求項１０】
ａ．３つまたはそれ以上の管を含む先端（４）であって、３つまたはそれ以上の管が少なくとも
ｉ．外管（２０）と、
ｉｉ．内管（２４）と、
ｉｉｉ．少なくとも部分的に内管と外管との間に位置付けられた中間管（２２）と、
を含むような先端（４）と、
ｂ．機械的筐体（８）であって、
ｉ．ノーズピース歯車（４２）を有するノーズコーン（３０）と、
ｉｉ．ノーズピース歯車と連接する１つ以上のピニオン歯車（５０）を有するコレット（５４）と、
を有する機械的筐体（８）と、
を含むブレードアセンブリ（２）において、
中間管がコレットを通って延びる外ハブに接続され、外ハブが１つ以上のピニオン歯車と連接して、ノーズコーンの回転が中間管の回転を引き起こす歯付部分を含む、ブレードアセンブリ。
【請求項１１】
請求項１０に記載のブレードアセンブリにおいて、
１つ以上のピニオン歯車が２つのピニオン歯車であり、それによって中間管がノーズコーンと同じ方向に回転する、ブレードアセンブリ。
【請求項１２】
請求項１０〜１１のいずれか１項に記載のブレードアセンブリにおいて、
中間管が、内管の少なくとも一部分を露出させる窓（１０）を含み、
内管が中間管と外管の一方または両方から独立して回転する、
ブレードアセンブリ。
【請求項１３】
ａ．２つまたはそれ以上の管を含む先端であって、２つまたはそれ以上の管が少なくとも
ｉ．外管（２０）と、
ｉｉ．内管（２４）と、
を含むような先端と、
ｂ．機械的筐体（８）であって、
回転軸を有するノーズコーン（３０）
を含む機械的筐体（８）と、
を含むブレードアセンブリ（２）において、
外管がノーズコーンに接続されて、ノーズコーンの回転が外管の回転を引き起こす、ブレードアセンブリ。
【請求項１４】
請求項１３に記載のブレードアセンブリにおいて、
外管が、内管の少なくとも一部分を露出させる窓（１０）を含み、
外管が内管とは独立して回転でき、またその逆であり、
外管が、中間管と内管の少なくとも一部分を曲げる剛なの曲げ部生成シースである、
ブレードアセンブリ。
【請求項１５】
請求項１３〜１４のいずれか１項に記載のブレードアセンブリにおいて、
２つまたはそれ以上の管が、
ａ．外管と、
ｂ．少なくとも部分的に外管の中に位置付けられた中間管（２２）と、
ｃ．少なくとも部分的に中間管の中に位置付けられた内管と、
を含む、ブレードアセンブリ。
【発明の詳細な説明】
【技術分野】
【０００１】
本教示は一般に、デブリッダー用ブレードモジュール、より詳しくは、ロッキング部品を有してブレードモジュールのブレードの回転を制限および／または阻止できるようなデブリッダー用ブレードモジュールに関する。
【背景技術】
【０００２】
一般に、デブリッダーはハンドピースと切除部分を含む。ハンドピースは、切除部分の中の１つ以上の回転部分を回転させるモータを含む。切除部分は切除用ブレードを露出させる切除窓を含み、および／または切除部分に角度が付けられている。使用中、切除窓および／または切除部分の角度はハンドル全体を回転させることによって向き付けることができる。いくつかの例において、切除部分全体を回転されたハンドピースから取り外し、再びハンドピースに戻して、切除窓および／または屈曲部が希望通りに向き付けられるようにしてもよい。
【０００３】
これに加えて、いくつかのハンドピースは回転ノブを含み、これを使ってハンドピースから切除部分を回転させてもよい。使用中、ハンドピースの温度が上昇するかもしれず、ハンドピースの構成要素の１つ以上が熱膨張する可能性がある。各種の構成要素の膨張率によって回転ノブの運動が阻止される可能性があり、それによって回転ノブが使いにくく、および／またはその機能が限定的となりうる。使用後、ハンドピースと回転ノブをオートクレーブに入れ、ハンドピースを滅菌し、その後、流体中に入れて急速冷却してもよい。しかしながら、ハンドピースと回転ノブの加熱と冷却を繰り返すと、回転ノブが劣化して、切除部分と回転ノブの間の接続部が滑り、および／またはくっついて、切除部分を回転させることができなくなる可能性がある。また別の例では、器材のクリーニングを繰り返し、および／またはクリーニング方法が不適切であると、器材内に物質が堆積し、堆積した物質によって回転ノブの適正な機能が阻止される。
【０００４】
いくつかの外科用器具の例が、米国特許第５，１１２，２９９号、第５，３７６，０７８号、第５，４９２，５２７号、第５，５４０，７０８号、第５，６０９，５７３号、第５，６２０，４４７号、第５，８７３，８８６号、第６，４９４，８９２号、第７，２４７，１６１号、第８，１０９，９５６号、第８，２０２，２８８号、米国特許出願公開第２００２／００３８１２９号、第２００４／０２４３１６３号、第２００５／０２７７９７０号、第２０１０／０２９８７６３号、第２０１２／０２２１０３５号に記載されており、そのすべてをあらゆる目的のために参照によって本願に援用する。切除部分に接続された回転装置を有することが魅力的であろう。回転部分をロックして、切除部分の使用時に切除部分が回転しないようにするロッキング部分を有することが魅力的であろう。切除部分の外管、中間管、またはそれらの両方を回転させて、切除窓および／または屈曲部が回転されるようにするノーズコーンを有することが魅力的であろう。
【先行技術文献】
【特許文献】
【０００５】
【特許文献１】米国特許第５，１１２，２９９号明細書
【特許文献２】米国特許第５，３７６，０７８号明細書
【特許文献３】米国特許第５，４９２，５２７号明細書
【特許文献４】米国特許第５，５４０，７０８号明細書
【特許文献５】米国特許第５，６０９，５７３号明細書
【特許文献６】米国特許第５，６２０，４４７号明細書
【特許文献７】米国特許第５，８７３，８８６号明細書
【特許文献８】米国特許第６，４９４，８９２号明細書
【特許文献９】米国特許第７，２４７，１６１号、明細書
【特許文献１０】米国特許第８，１０９，９５６号明細書
【特許文献１１】米国特許第８，２０２，２８８号明細書
【特許文献１２】米国特許出願公開第２００２／００３８１２９号明細書
【特許文献１３】米国特許出願公開第２００４／０２４３１６３号明細書
【特許文献１４】米国特許出願公開第２００５／０２７７９７０号明細書
【特許文献１５】米国特許出願公開第２０１０／０２９８７６３号明細書
【特許文献１６】米国特許出願公開第２０１２／０２２１０３５号明細書
【発明の概要】
【課題を解決するための手段】
【０００６】
本教示は上述のニーズの１つ以上を、ブレードアセンブリを提供することによって満足させ、これは、（ａ）２つまたはそれ以上の管を含む先端であって、２つまたはそれ以上の管が少なくとも（ｉ）外管と、（ｉｉ）内管と、を含むような先端と、（ｂ）（ｉ）長手軸を有するロッキングスプラインと、（ｉｉ）スライドロックと、を含む機械的筐体と、を含み、スライドロックがロッキングスプラインの長手軸に沿ってロッキングスプラインの周囲でスライドしてロック状態を確立し、それによってロッキングスプラインの長手軸の周囲でのロッキングスプラインの回転運動が阻止されるようにし、外管がロッキングスプラインに連結されて、ロック状態にある時にロックキングスプラインの長手軸の周囲での外管の回転運動が阻止される。
【０００７】
本教示の他の考えうる実施形態はブレードアセンブリを含み、これは、（ａ）３つまたはそれ以上の管を含む先端であって、３つまたはそれ以上の管が少なくとも（ｉ）外管と、（ｉｉ）内管と、（ｉｉｉ）少なくとも部分的に内管と外管との間に位置付けられた中間管と、を含むような先端と、（ｂ）（ｉ）ノーズピース歯車を有するノーズコーンと、（ｉｉ）ノーズピース歯車と連接する１つ以上のピニオン歯車を有するコレットと、を有する機械的筐体と、を含み、中間管がコレットを通って延びる外ハブに接続され、外ハブが１つ以上のピニオン歯車と連接して、ノーズコーンの回転が中間管の回転を引き起こす歯付部分を含む。
【０００８】
本発明の他の考えうる実施形態はブレードアセンブリを含み、これは、（ａ）２つまたはそれ以上の管を含む先端であって、２つまたはそれ以上の管が少なくとも（ｉ）外管と、（ｉｉ）内管と、を含むような先端と、（ｂ）回転軸を有するノーズコーンを含む機械的筐体と、を含み、外管がノーズコーンに接続されて、ノーズコーンの回転が外管の回転を引き起こす。
【０００９】
本願の教示は、切除部分に接続された回転装置を提供する。本願の教示は、回転部分をロックして、切除部分の使用中に切除部分が回転しないようにするロッキング部分を提供する。本願の教示は、切除部分の外管と中間管の一方または両方を回転させ、切除窓および／または曲がり部が回転されるようにするノーズコーンを提供する。
【図面の簡単な説明】
【００１０】
【図１】まっすぐな先端を有するブレードアセンブリの図である。
【図２】角度の付いた先端を有するブレードアセンブリの図である。
【図２Ａ】ブレード先端がロック位置にある時の、図２の角度の付いた先端の１つの実施形態の分解図である。
【図２Ｂ】ブレードがロック解除位置にある時の、図２の角度の付いた先端の１つの実施形態の分解図である。
【図３】角度の付いた先端を示す図である。
【図３Ａ】ブレード先端がロック位置にある時の、図３の角度の付いた先端の１つの実施形態の分解図である。
【図３Ｂ】ブレード先端がロック解除位置にある時の、図３の角度の付いた先端の１つの実施形態の分解図である。
【図４】３つの管を有するブレードアセンブリの分解図である。
【図５】分解された機械的筐体の斜視図である。
【図６】分解された機械的筐体の前方斜視図である。
【図７】ノーズコーンの分解図である。
【図８】外ハブに接続されたノーズコーンを示す図である。
【図９】ノーズコーンとコレットを示す図である。
【図１０】コレットの斜視図である。
【図１１】本願の教示の歯車の斜視図である。
【図１２】ノーズコーンを示す図である。
【図１３】ロッキングスプラインを示す図である。
【図１４】ロッキングスプラインとスライドロックを示す図である。
【発明を実施するための形態】
【００１１】
本明細書で提示される説明と例示は、教示、その原理、およびその実践的応用を当業者が分かるようにすることを意図したものである。当業者であれば、特定の用途の要求事項に最も適したものとなりうる様々な形態で教示を適応させ、応用できる。したがって、開示されている本教示の具体的な実施形態はすべてを網羅するものでも、本教示を限定するものでもない。したがって、教示の範囲は上記の説明を参照して判断するべきではなく、付属の特許請求の範囲を、かかる請求の範囲に適用される均等物の全範囲と併せて参照することによって判断するべきである。特許出願や公開を含めたすべて記事および参照文献の開示を、あらゆる目的のために本願に援用する。以下の特許請求の範囲から抽出されるようなその他の組合せもまた可能である。
【００１２】
本願の教示はデブリッダー、好ましくはマイクロデブリッダーを提供する。デブリッダーは一般に、ハンドピースと、分離可能なブレードアセンブリと、を含む。ハンドピースは、ブレードアセンブリの一部分を受け、使用中にハンドピースがブレードアセンブリを駆動できるようにする開口部を含む。ハンドピースはモータと１つ以上の歯車を含んでいてもよく、これらがブレードアセンブリの１つ以上の回転切除管を駆動する。ハンドピースの他の教示は、ハンドピースおよび、分離可能なブレードアセンブリを駆動するための１つ以上の接続部分を教示する、２０１２年１１月３０日に出願された米国特許出願第６１／７３１，９１９号の段落６〜８、２６〜４５、０６１〜０６２、０６５、７０〜７２および図１〜３を含む、本願の教示から抽出されうる。ブレードアセンブリは、ハンドピースに取り付けられると固定接続を確立し、それによってブレードアセンブリはハンドピースと独立して回転しない。ハンドピースとブレードアセンブリは分離可能であってもよく、ハンドピース、ブレードアセンブリまたはそれらの両方を使用後にクリーニングし、処分し、またはそれらの両方を行うことができる。
【００１３】
好ましくは、ブレードアセンブリは使い捨てであってもよい。ブレードアセンブリは先端と機械的筐体を含む。先端は、１つ以上の管、好ましくは２つまたはそれ以上の管を含んでいてもよい。１つ以上の管は、どのような生体適合材料で作製されてもよい。１つ以上の管は、手術を施行するために使用できる材料で作製されてもよい。１つ以上の管は、手術を施行するため、すなわち押し込み、引っ張り、角度を付け、更にはこれらを組合せて行っても曲がらず、また破損せず、更にはその両方であるようにするのに十分な剛性の材料で作製されてもよい。１つ以上の管はポリマ、金属、天然材料、合成材料のいずれか、またはこれらの材料を組合せたものから作製されてもよい。好ましくは、１つ以上の先端は、ステンレス鋼または外科用鋼で作製される。先端は少なくとも外管と内管を含んでいてもよい。先端は、外管と、少なくとも部分的に外管の中に配置された中間管と、少なくとも部分的に中間管と外管の中に配置された内管と、を含んでいてもよい。２つまたはそれ以上の管の各々は接続されていてもよい。好ましくは、２つまたはそれ以上の管の各々は軸方向に相互に独立して、管の１つ以上が他の管を回転させずに回転してもよい。例えば、内管と中間管の一方または両方は、外管の内部で回転してもよい。１つ以上の管は、まっすぐであっても、角度が付いていても、屈曲していても、湾曲していても、フレキシブルジョイント式（例えば、外管が曲げられると、内管は柔軟に外管の中で回転できる）であっても、またはこれらの組合せであってもよい。１つ以上の管は１つ以上の屈曲を形成してもよく、１つ以上の屈曲はどのような屈曲角度または屈曲角度の組合せでもよく、屈曲部を含んでいてもよく、またはそれらの両方であってもよい。屈曲部は剛な曲部、弓状の曲部、掃引状の曲線、またはこれらの組合せであってもよい。１つ以上の管は、約０度以上、約１５度以上、約３０度以上、約４５度以上、約６０度以上、または約９０度以上の角度を形成する屈曲部を有していてもよい。１つ以上の管は、約１５０度以下、約１３５度以下、約１２５度以下、または約１０５度以下の角度を形成する屈曲部を有していてもよい。それゆえ、例えば様々な管の設計の中で、外管と内管はどちらもまっすぐ、および／または角度が付いていてもよい。
【００１４】
外管は、内管と中間管の一方または両方の全部または一部を格納するシースであってもよい。外管は先端の外面を形成し、流体、手術によるデブリ、潅流液のいずれか、またはこれらのうちいくつかが外管の中を関心対象部位へ、および／または関心対象部位から通過できるようなどのような管であってもよい。外管は、外管が内管、または中間管、またはそれらの両方の保護を支援するようなどのような形状、大きさ、形態、またはこれらの組合せであってもよい。外管は、外管が手術にとって有益であり、低侵襲手術にとって好ましいものとなるようなどのような大きさと形状であってもよい。外管は、１つ以上の管が外管の中に適合されて、流体、手術によるデブリ、潅流液のいずれか、またはそれらのうちいくつかが外管の中を関心対象部位へ、および／または関心対象部位から通過できるのに十分な大きさであってもよい。外管は、内径と外径を含む。内径は、１つ以上の、好ましくは２つまたはそれ以上の管が外管の内径に適合されて、流体、手術によるデブリ、潅流液、またはこれらの組合せが外壁の中を関心対象部位へ、および／または関心対象部位から通過できるのに十分な大きさであってもよい。内径は約１ｍｍ以上、約２ｍｍ以上、または約３ｍｍ以上であってもよい。内径は約７ｍｍ以下、約６ｍｍ以下、または約５ｍｍ以下であってもよい。外径は内径の約±０．１ｍｍ、約±０．５ｍｍ、または約±１．０ｍｍであってもよい。外管の直径は、外管が曲がり部を含むのに十分な大きさであってもよい。
【００１５】
外管は、内管と中間管の一方または両方の屈曲部の角度を、先端の角度に関して本明細書で論じたように決定してもよい。外管は、それ自体の回転軸とロッキングスプラインの長手軸の一方または両方の周りに回転可能であってもよい。外管は、それ自体の長手軸の一部の周りに回転可能であり、および／または回転されてもよい。例えば、外管は曲げられていてもよく、外管の長手軸は外管の曲部に追従してもよく、外管は長手軸の直線部分の周りに回転し、それによって外管の曲部が第一の位置から第二の位置へと回転してもよい。外管は機械的筐体の長手軸と機械的筐体の長手軸に平行な軸の一方または両方の周りに回転可能であってもよい。外管は１つ以上のスロットを含んでもよい。
【００１６】
１つ以上のスロットが、外管がノーズコーンとロッキングスプラインの一方または両方との固定接続を確立する外管に沿ったいずれかの位置に位置付けられてもよい。好ましくは、外管は、近位端（すなわち、使用者に近い端）、または機械的筐体の中、またはそれらの両方に１つ以上のスロットを含む。スロットは、材料のない部分、切欠き、スリット、曲部、テーパ、フレア部のいずれか、またはこれらのうちいくつかを組み合わせたものであってもよい。好ましくは、外管は、ノーズコーンに近い端において２つのスロットを含み、それによって外管はノーズコーンにしっかりと固定されてもよく、外管はロッキングスプラインに固定接続されてもよく、またはこれらの両方であってもよい。外管の１つ以上のスロットはロッキングスプラインに接続されて、外管の切除窓と中間管の切除窓の一方または両方が、本明細書で論じたように、外管の長手軸と中間管の長手軸の一方または両方の周りに回転できるようにしてもよい。
【００１７】
外管は切除窓を含んでいてもよい。切除窓は、内管の遠位端の全部もしくは一部、または中間管の遠位端の全部もしくは一部、またはこれらの両方を露出させ、使用中に内管が回転して手術を行うための切除面を形成するような窓であってもよい。外管に切除窓がなくてもよい。外管は開放端を含み、内管と中間管の一方または両方の全部または一部が開放端から外に延びてもよい。開放端と切除窓の一方または両方は、外管の直径が減少するテーパ部を含んでいてもよい。開放端と切除窓の一方または両方は、中間管と内管の一方または両方との滑り嵌め、ジャーナル接続、締り嵌め、または摩擦嵌め、またはこれらの組合せを形成してもよく、それによって内管、または中間管、またはこれらの両方が先端の遠位端に向かって軸方向に移動すること、横方向に移動することのいずれか、またはこれらの両方は阻止されるが、内管と中間管の一方または両方が外管の長手軸の周りに回転してもよい。
【００１８】
中間管は、外管の全部または一部の中に延びてもよい。中間管は外管の一方または両方の端を通って全体に延びていてもよい。中間管は内管の全部または一部を露出させる窓を含んでいてもよい。中間管は開放端を含み、内管が中間管から外に延びるようになっていてもよい。中間管と外管の一方または両方の窓は、内管がデブリドマン（例えば、切除、削り取り、平滑化、除去、その他、またはこれらのうちいくつか）を行うのに十分な量だけ露出するのに十分に大きくてもよい。中間管と外管の一方または両方の窓は、器材を低侵襲デブリドマンに使用できるように十分に小さくてもよい。外管と中間管の一方または両方の窓は、実質的に同じ大きさであってもよい。中間管と外管の一方または両方の窓は、先端の遠位端領域（例えば、先端のうち、患者に近く、使用者から遠い領域）の中に位置付けられてもよい。中間管と外管の一方または両方の窓は、約１５度以上、約３０度以上、約４５度以上、約６０度以上、約９０度以上、約１１５度以上、約１３５度以上、または約１５０度以上にわたっていてもよい。中間管と外管の一方または両方の窓は、約３００度以下、約２７０度以下、約２３５度以下、または約２００度以下にわたっていてもよい。内管は切除面を有していてもよく、これは窓と実質的に同じ大きさであり、それによって切除窓と切除窓の切除面が２つの対向する切除部分を形成し、これがデブリドマンを支援する。
【００１９】
内管は、中間管と外管の一方または両方の全部または一部を通って延びてもよい。内管は、外管と中間管の一方または両方から独立して自由に回転してもよい。内管は、外管と中間管の一方または両方の、一端または両端を通って延びてもよい。内管は破砕用先端を有していてもよく、これは外管と中間管の一方または両方の中の全体にわたって延び、破砕用先端が３６０度露出する。内管は、ハンドピース内のモータから内管に動力を伝えて、内管がある軸の周囲で回転するようにする連結装置に接続されていてもよい。内管は内ハブに接続され、および／またはこれを含んでいてもよい。
【００２０】
内ハブは、内管をモータに連結すること、内管を回転させること、内管の固定接続を確立して、内管が長手軸に沿って移動できないようにすることのいずれか、またはこれらのうちいくつかを支援するどのような装置であってもよい。内ハブは、隣接する構成要素と回転可能な接続を確立するための１つ以上の歯を含んでいてもよい。１つ以上の付勢部材が内ハブの全部または一部にわたって延びていてもよく、接続を確立すること、接続を解除すること、接続を確実な状態に保つことのいずれか、またはこれらのうちいくつかを支援する。付勢部材は、本明細書で論じるどのような付勢部材であってもよい。好ましくは、付勢部材はバネである。付勢部材は１つ以上のシール材の付近に位置付けられてもよい。１つ以上のシール材は、流体の漏出を防止するどのようなシール材であってもよい。１つ以上のシール材は、内ハブの一方の端、または内管もしくは中間管もしくは外管の一方の端、またはこれらのうちのいくつかに位置付けられて、流体、手術によるデブリ、潅流液のいずれか、またはこれらのうちいくつかがハンドピースの中へと漏れず、ハンドピース内の管を通るように導かれるようにしてもよい。内管と内ハブの一方または両方は、封入コネクタを通って延びていてもよい。封入コネクタは、内管、中間管、外管の一つ、またはこれらの組合せの横方向移動を阻止するのを支援しうる。好ましくは、内管は封入コネクタを通って延び、封入コネクタが内管の横方向移動を阻止し、内管の回転をモニタする。封入コネクタは２つまたはそれ以上のトランスミッタを含んでいてもよく、これらは内管、内ハブ、外ハブの一つ、またはこれらのうちいくつかと磁気連接する。好ましくは、封入コネクタの２つまたはそれ以上のトランスミッタは、外ハブの位置および／または外管と中間管の一方または両方の窓の、窓の位置に関する位置を磁気によってモニタする。封入コネクタ、２つまたはそれ以上のトランスミッタ、磁気連接、またはこれらの組合せに関するその他の教示は、２０１１年１０月３日出願の米国特許出願第１３／２５１，４９３号の段落００８〜００１４、００３５〜００５５、図２〜１４を含む、本明細書の教示から抽出されてもよく、同出願を封入コネクタ、２つまたはそれ以上のトランスミッタ、または磁気連接に関するあらゆる目的のために参照によって本願に援用する。封入コネクタと外ハブは互いに隣接して位置付けられてもよく、隣接する部品の全部または一部を覆ってもよく、密閉接続を確立してもよく、またはこれらを組合せたものであってもよい。あるいは、管の１つ以上を相互に関して回転させることに関するその他の教示は、２０１３年３月１２日に出願された米国特許出願第１３／７９６，４１２号の段落０４〜００５、００１２〜００３８、図１Ａ〜４Ｃを含む本明細書の教示から抽出されてもよく、同出願をロックセレクタ、付勢装置、作動セレクタに関するあらゆる目的のために参照によって本願に援用する。
【００２１】
外ハブは、ハンドピースの中へと完全に、および／または部分的に延びてもよく、使い捨てブレードとハンドピースとの間に固定接続を確立するのを支援する。外ハブは、完全にハンドピースの外に位置付けられてもよい。外ハブは、外管と中間管の一方または両方に固定接続されるどのような装置であってもよい。外ハブは、外管と中間管の一方または両方に固定接続されてもよく、外ハブの軸に関する外管と中間管の一方または両方の移動が実質的に阻止されても、排除されても、更にこれら両方とされてもよい。外ハブは、１つ以上の管に隣接するか、または１つ以上の管に接続されるか、更にそれらの両方とされた１つ以上の部品の回転中に、管の１つ以上の回転運動を容易にするどのような装置であってもよい。外ハブは外管とノーズコーンの一方または両方に固定接続されてもよく、ノーズコーンが回転すると外管が外ハブとの接続によって回転する。外ハブは外管と中間管の一方または両方に固定接続されてもよく、外ハブが回転すると外管と中間管の一方または両方が回転する。外ハブは中間管と外管の一方または両方に固定接続されてもよく、ノーズコーンが回転されると中間管と外管の一方または両方が回転される。外ハブは１つ以上の隣接する部品の中へと延びても、その周囲に延びても、それと接触するように延びても、更にこれらは組合せられてもよく、１つ以上の隣接する部品が回転すると、外ハブが外管と中間管の一方または両方と一緒に回転される。外ハブは、噛み合いトルク伝達部品を有する部分によって回転されてもよい。
【００２２】
噛み合いトルク伝達部品は、力とトルクの一方または両方を１つの構成要素から他の構成要素に伝達するどのような装置であってもよい。噛み合いトルク伝達部品は、リブ、歯、螺旋状に巻き回されたトラックのいずれか、またはこれらのうちいくつかを含んでいてもよい。噛み合いトルク伝達部品は、平滑でも、歯がなくても、リブがなくても、またはこれらのうちのいくつかであってもよい。噛み合いトルク伝達部品はベルト、プーリ、平坦な柔軟材料のいずれか、またはこれらのうちいくつかを組合せたものに接触し、それによって回転されてもよい。好ましくは、噛み合いトルク伝達部品は、外ハブの歯車部分、コグ部分、ウォーム歯車部分、内ハブ部分のいずれか、またはこれらのうちいくつかを組合せたものである。好ましくは、外ハブの噛み合いトルク伝達部品は歯付部分であってもよい。
【００２３】
歯付部分は、外ハブのうち、歯付部分と接触可能な１つ以上の隣接する構成要素と並置されるいずれの部分であってもよく、１つ以上の隣接する構成要素が回転すると、歯付部分が外ハブを回転させてもよい。好ましくは、外ハブの前方部分（例えば、ハンドピースから軸方向に離れて位置付けられた遠位部分）が複数の歯を有する歯付部分を含んでいてもよい。歯付部分は外ハブの周囲の全体または一部にわたって延びていてもよく、外ハブは中間管と外管の一方または両方を回転させるために使用されてもよい。好ましくは、歯付部分は外ハブの周囲３６０度にわたって延びていてもよく、外管と中間管の一方または両方が時計回り方向にも、反時計回り方向にも、またはそれらの両方にも完全に回転してもよい。歯付部分には、１つ以上のピニオン歯車が接触してもよい。
【００２４】
１つ以上のピニオン歯車は、外ハブの噛み合いトルク伝達部品、または歯付部分、またはそれらの両方と接触可能などのような装置であってもよい。１つ以上のピニオン歯車は、ある軸の周りに回転し、トルク、力、運動のいずれか、またはこれらのうちいくつかを１つ以上の隣接する表面、構成要素、部品のいずれか、またはこれらのうちのいくつかから、および／またはそれらに伝達するどのような歯車であってもよい。１つ以上のピニオン歯車は、噛み合いトルク伝達部品、または歯付部品、またはそれらの両方の実質的に鏡像を形成してもよく、１つ以上のピニオン歯車と噛み合いトルク伝達部品、または歯付部分またはそれらの両方は、力とトルクの一方または両方を伝えるための回転接続や相互接続、またはそれらの両方を形成する。１つ以上のピニオン歯車は、ピニオン歯車が中間管と外管の一方または両方を回転させ、使用者が自分の手で所望の回転を行う必要がないように十分に大きくてもよい。１つ以上のピニオン歯車は、１つ以上のピニオン歯車によって１つ以上の構成要素がコレットの貫通穴の中へと延びることができなくならないように、十分に小さくてもよい。１つ以上のピニオン歯車と、噛み合いトルク伝達部品、または歯付部分、またはそれらの両方とは歯車比を有してもよい。例えば、１つ以上のピニオン歯車が１回転すると外ハブが１回回転し、それゆえ歯車比は１：１であってもよい。歯車比は、１つ以上のピニオン歯車が動くと、外ハブが、外管と中間管の一方または両方の窓が約６０度以上、約９０度以上、約１２０度以上、または約１８０度以上回転するのに十分な量だけ回転されるどのような比であってもよい。１つ以上のピニオン歯車の、噛み合いトルク伝達部品、または歯付部分、またはそれらの両方に対する歯車比は約１：０．５以上、約１：０．７以上、約１：１以上、または約１：１．２以上であってもよい。１つ以上のピニオン歯車の噛み合いトルク伝達部品、または歯付部分、またはこれらの両方に対する歯車比は約１：５以下、約１：４以下、約１：３以下、または約１：２以下であってもよい。先端は、外ハブが、使用者が回転させるのと同じ方向に回転されるようにするのに十分な数のピニオン歯車を含んでいてもよい。先端は、奇数のピニオン歯車を含んでいても、偶数のピニオン歯車を含んでいてもよい。好ましくは、先端は偶数のピニオン歯車を含む。より好ましくは、先端は少なくとも２つのピニオン歯車を含み、外ハブが、使用者が少なくとも２つのピニオン歯車に接続された可動部分を回転させるのと同じ方向に回転される。１つ以上のピニオン歯車は、コレットに接続されてもよい。
【００２５】
コレットは、部分的および／または全体的にハンドピースの中へと延び、使い捨てブレードとハンドピースとの間の接続を確立してもよい。コレットはハンドピースとの固定接続を確立してもよく、コレットと使い捨てブレードの一方または両方が回転移動、横方向移動、長手方向移動のいずれか、またはこれらの移動のいくつかをしない。コレットは、機械的筐体内で静止するどのような装置であってもよい。ブレードモジュールはコレット、またはコレットの周囲に、またはそれらの両方に接続されてもよく、ブレードモジュールがハンドピースとコレットの一方または両方に関して静止した接続を確立する。コレットは、使用者にとって静止している把持部分であってもよい。コレットは、先端、または機械的筐体、またはこれらの組合せたもののためのフレームを形成してもよい。コレットは、１つ以上の構成要素がそれを通って延びるような１つ以上の貫通穴を含むどのような装置であってもよい。例えば、１つ以上の管、スライドロック、ロックレバー、外ハブのいずれか、またはこれらのうちいくつかがコレットを通って延びてもよい。好ましくは、少なくとも外ハブが少なくとも部分的にコレットの貫通穴を通って延びる。例えば、外ハブは外周上に、コレットの内面と接触する１つ以上のシール材を含んでいてもよく、このシール材が外ハブとコレットの間に密着接続を確立する。コレットは長手軸を含む。長手軸は、コレットの中心、またはコレットの貫通穴の中心、またはこれらの両方を通って延びていてもよい。貫通穴はコレットの中心を通って延びてもよく、中心からずれていてもよく、またはこれらの両方であってもよい。例えば、ロッキングスプライン、スライドロック、１つ以上の管のいずれか、またはこれらのうちいくつかは、コレットの中心を通って延びる軸からずれていてもよい。しかしながら、好ましくは、コレット、ロッキングスプライン、スライドロック、１つ以上の管がすべて同心円状であるか、コレットの長手軸に沿って整列されるか、またはこれら両方である。外ハブとコレットは密着接続してもよい。コレットと外ハブの間の密着接続によって、外ハブのコレットに関する回転移動が可能となり、密着接続が保持されてもよい。好ましくは、使用中に使用者はコレットまたはコレットに固定接続された、および／または回転可能に接続された部品を把持し、使用者は１つ以上の隣接する部品を回転させ、使い捨てブレードを操作し、処置を実行し、またはこれらの組合せを行ってもよい。コレットは、１つ以上の接続面を含んでいてもよく、本明細書で論じる１つ以上の隣接する部品がコレットに接続されてもよい。コレットは、１つ以上のピニオン歯車を支持するための１つ以上の支持ピンを含んでいてもよい。
【００２６】
１つ以上の支持ピンは、ピニオン歯車のための回転支持手段を提供するどのような装置であってもよい。１つ以上の支持ピンは、１つ以上の軸、軸受面、支持手段のいずれか、またはこれらのうちいくつかを組合せたものであってもよい。１つ以上の支持ピンは、１つ以上のピニオン歯車を低摩擦回転運動中に支持するどのような装置であってもよい。好ましくは、１つ以上のピニオン歯車は１つ以上の支持ピンを介してコレットに接続されてもよい。より好ましくは、１つ以上のピニオン歯車は、コレットに関して回転運動可能であるが、軸方向にはコレットに固定されていてもよい。例えば、１つ以上のピニオン歯車が支持ピンに固定されてもよく、これらはその回転軸に沿ってスライドできないが、ピニオン歯車は回転軸の周りに自由に回転できる。１つ以上のピニオン歯車、１つ以上の支持ピンのいずれかまたは両方はコレット上のいずれの位置に位置付けられてもよい。好ましくは、１つ以上の支持ピン、１つ以上のピニオン歯車のいずれかまたは両方はコレットの遠位端（すなわち、コレットの、ノーズコーンに最も近く、使用者から最も遠い端）に位置付けられる。より好ましくは、１つ以上の支持ピン、１つ以上のピニオン歯車のいずれかまたは両方は、実質的に貫通穴の開口部の外に位置付けられてもよく、１つ以上の構成要素が貫通穴の中を通過してもよい。さらにより好ましくは、１つ以上の支持ピン、１つ以上のピニオン歯車のいずれかまたは両方はコレット上に位置付けられ、１つ以上のピニオン歯車が、貫通穴の開口部の付近に位置付けられた、および／またはそれを通って延びる外ハブの噛み合いトルク伝達部品、または歯付部分、またはこれらの両方に接続される。１つ以上のピニオン歯車は、１つ以上のノーズピース歯車との接続、噛み合い接続、トルク伝達接続のいずれかまたはそれらの組合せを確立してもよい。
【００２７】
１つ以上のノーズピース歯車は、回転力を使用者から本明細書で論じる管の１つ以上に伝達するどのような歯車であってもよい。１つ以上のノーズピース歯車は、ノーズコーンが動くと、１つ以上のノーズピース歯車が１つ以上の隣接する使い捨てブレード構成要素が移動するようなどのような形状や大きさ、またはそれらの組合せであってもよい。ノーズピース歯車は、円形、楕円形、１つ以上の連結セグメント、１つの連続部品のいずれかまたはこれらを組合せたものであってもよい。１つ以上のノーズピース歯車は、アトラス歯車、遊星歯車であってよく、更に隣接する構成要素とノーズコーンの一方または両方の内周に沿って延びることのできる歯車であってもよい。１つ以上のノーズピース歯車は、使い捨てブレードのノーズコーンに固定接続されても、永久的に接続されても、その一体部分であっても、またはこれらの組合せであってもよい。１つ以上のノーズピース歯車はノーズピースとの接続を確立し、使用者がノーズピースを回転させると、１つ以上のノーズピース歯車が回転する。例えば、ノーズピース歯車とノーズコーンは、接続された２つの別々の部品であってもよい。他の例では、ノーズピース歯車はノーズピースの内部に一体に形成され、これらが１つの部品であってもよい。１つ以上のノーズピース歯車は、ノーズピース歯車のノーズコーンから独立した回転を阻止する１つ以上の隆起部、１つ以上の突起部のいずれかまたは両方を含んでいてもよい。１つ以上のノーズピース歯車は部分的および／または全体的に、ノーズピースの内側と外側の一方または両方に沿って延びていてもよい。好ましくは、１つ以上のノーズピース歯車はノーズピースの内側に沿って３６０度にわたって延びて、１つ以上のピニオン歯車と噛み合い接続を確立する。１つ以上のノーズピース歯車は、トルクと回転力の一方または両方を１つ以上の管、外ハブ、ピニオン歯車のいずれか、またはそれらを組合せたものに直接または間接に伝達できるそのような装置であってもよい。１つの好ましい例において、ノーズピース歯車は、外ハブの歯付部分に接続された２つのピニオン歯車に接続されてもよく、これは中間管と外管の一方または両方に接続されて、ノーズコーンが回転すると、回転力が中間管と外管の一方または両方に伝達され、中間管と外管の一方または両方の窓が希望通りに方向付けられる。１つ以上のノーズピース歯車は、トルクと回転力の一方または両方をノーズコーンから外管と中間管の一方または両方に直接伝達しうるベルトであってもよい。好ましくは、１つ以上のノーズピース歯車は１つ以上の歯を含み、これらは１つ以上の隣接する歯付歯車と噛み合い接続を確立する。１つ以上のノーズピース歯車と１つ以上のピニオン歯車はある歯車比を有していてもよい。歯車比は、ノーズコーン、１つ以上のノーズピース歯車のいずれかまたは両方が動くと、外管と中間管の一方または両方が約６０度以上、好ましくは約９０度以上、より好ましくは約１２０度以上回転するようなどんな比であってもよい。ノーズピース歯車対ピニオン歯車の歯車比は、約１：１以上、好ましくは約１：１．５以上、より好ましくは約１：２以上、より好ましくは約１：２．５以上であってもよい。ノーズピース歯車対ピニオン歯車の歯車比は、約１：１０以下、約１：５以下、または約１：３以下であってもよい。１つの好ましい例において、ノーズピース歯車が回転するごとにピニオ歯車が約２．５回回転し、外ハブが約２回回転する。好ましくは、ノーズコーンはノーズピース歯車を１つのみ含む。
【００２８】
ノーズコーンは、１つ以上の管の向きを回転させるか、１つ以上の管の１つ以上の窓を回転させるか、またはそれらの両方を行う、使い捨てブレードのいずれの部分であってもよい。ノーズコーンは、使用者が把持できるいずれの部分であってもよい。ノーズコーンは、機械的筐体の最も遠位の部品であってもよく、機械的筐体のうち、患者に最も近い位置にある部品、管の１つ以上または好ましくは全部が通過する部品のいずれか、またはこれらを兼ねた部分であってもよい。ノーズコーンは回転軸を含む。ノーズコーンとノーズピース歯車は、回転比を有していてもよい。ノーズコーン対ノーズピース歯車の回転比は約１：０．５以上、好ましくは約１：０．８以上、より好ましくは約１：１以上であってもよい。ノーズコーン対ノーズピース歯車の回転比は約１：２以下、約１：１．５以下、または約１：１．２以下であってもよい。好ましくは、ノーズコーン対ノーズピース歯車の回転比は約１：１である。ノーズコーンは、１つ以上の管が使用中に横移動するのを阻止してもよい。例えば、ノーズコーンは、１つ以上の管の周囲の安定性を提供してもよく、１つ以上の管は１つ以上の管の回転軸を横切る方向に実質的に固定される。ノーズコーンは、管の１つ以上と直接的および／または間接的な固定接続を確立してもよい。ノーズコーンは外管と中間管の一方または両方との固定接続を確立してもよく、ノーズコーンの回転が外管と中間管の一方または両方を回転させる。好ましくは、３管システムの場合、外管はノーズコーンに直接および／または間接に固定接続され、および／または回転可能に接続される。ノーズコーンは、外管、中間管、またはそれらの両方の中のある特徴物と嵌合する１つ以上の相補的部品を含んでいてもよい。ノーズコーンは、外管と中間管の一方または両方のスロットと噛み合い接続するタブを含んでいてもよい。好ましくは、ノーズコーンは１つ以上のロッキングスプラインを含む。
【００２９】
１つ以上のロッキングスプラインは、ノーズコーンの中へと延び、使い捨てブレードの１つ以上の隣接する部品とロック可能に接続するどのような装置であってもよい。１つ以上のロッキングスプラインはノーズコーンに直接および／または間接に接続されてもよい。１つ以上のロッキングスプラインは、ノーズコーンと固定接続されなくてもよい。例えば、ノーズコーンはロッキングスプラインとは独立して回転可能であってもよく、またその逆でもよい。１つ以上のロッキングスプラインはノーズコーンと一体に形成されてもよく、ノーズコーンに固定接続されてもよく、ノーズコーンに取り外し可能に接続されてもよく、またはこれらの組合せであってもよい。１つ以上のロッキングスプラインは長手軸を含んでいてもよく、長手軸に沿ってノーズコーンから延びていてもよい。１つ以上のロッキングスプラインは、長手軸に沿って延びる貫通穴を含んでいてもよく、１つ以上の管が貫通穴を通って延びてもよい。貫通穴は断面一定であってもよく、テーパが付いていてもよく、テーパ部分を含んでいてもよく、またはこれらのいくつかを兼ねたものであってもよく、外管と中間管の一方または両方のノーズコーンとロッキングスプラインの一方または両方を通る軸方向の移動が最小化され、および／または実質的に阻止される。貫通穴は外管と中間管の一方または両方の一部に、圧入接続、締まり嵌め、ファスナ、接着剤、テーパ、機械的スロット／スプライン、スリップフィットのいずれかまたはこれらのうちいくつかの組合せによって接続されてもよい。好ましくは、２管システムの場合、ノーズコーンはロッキングスプライン、外管、外ハブのいずれか、またはこれらのうちいくつかに固定接続されて、ノーズコーン、ロッキングスプライン、外管、外ハブのいずれか、またはこれらのうちいくつかは互いに独立して移動できない。より好ましくは、２管システムの場合、外管は外ハブに接続され、ロッキングスプラインと外ハブはノーズコーンに接続されて、スライドロックがロッキングスプラインと係合すると、外ハブと外管が回転できない。１つ以上のロッキングスプラインは、貫通穴に近い１つ以上のタブを含んでいてもよい。
【００３０】
１つ以上のタブは、外管と中間管の一方または両方の１つ以上のスロットと相補的などのような特徴物であってもよい。１つ以上のタブは、固定接続を確立するのを支援する、または外管と中間管の一方もしくは両方の、ノーズコーンとロッキングスプラインの一方もしくは両方に関する独立した回転運動を阻止する、またはこれらの両方を行うどのような特徴物であってもよい。１つ以上のタブは、外管と中間管の一方または両方の一部分の中へと、および／またはそれを通って延びていてもよい。１つ以上のタブは、ロッキングスプラインの近位端（すなわち、ロッキングスプラインの、使用者に最も近い端）に、部分的および／または完全に貫通穴の中に、またはこれらの両方で位置付けられてもよい。好ましくは、３管システムの場合、外管がスロットを含み、ロッキングスプラインがタブを含んで、外管がロッキングスプラインと固定接続を確立して、外管とロッキングスプラインが独立して回転できず、ノーズコーンおよびロッキングスプラインは接続されず、ノーズコーンとロッキングスプラインが独立して回転できる。ロッキングスプラインは１つ以上のリブを含んでいてもよい。
【００３１】
１つ以上のリブは、相補的部品とノーズコーンの一方または両方の独立した回転運動を阻止するどのような特徴物であってもよい。１つ以上のリブは、相補的部品がロッキングスプラインとの固定接続を確立し、独立した回転運動が阻止されるのに十分な大きさであり、離間されていてもよい。好ましくは、１つ以上のリブは、ロッキングスプラインの外周上に位置付けられる。１つ以上のリブは、１つ以上の管の回転軸に関して軸方向に、回転軸に平行に、またはこれらの両方の態様で延びていてもよい。１つ以上のリブは、ロッキングスプラインの円周上に配置されてもよい。１つ以上のリブは、相補的部品の一部分が１つ以上のリブ間に延びて、固定接続を確立するように離間されていてもよい。１つ以上のリブはテーパ部分を含んでいてもよく、これは相補的部品との固定接続を確立するのを支援するか、リブを相補的部品の１つ以上の対応するリブまたは歯と整合させるのを支援するか、またはこれらの両方である。テーパ接続部は好ましくは、近位部分に位置付けられていてもよく、相補的部品はロッキングスプラインの上でスライドし、接続を確立して、ロッキングスプラインの遠位部分がノーズコーンと接触した状態に保たれる。相補的部品は、ロッキングスプラインと接触するように移動し、これとの固定接続を確立してもよく、それによってロッキングスプラインは固定接続中に動かない状態となる。好ましくは、相補的部品はスライドロックである。
【００３２】
スライドロックは、使い捨てブレードのうち、１つ以上の管の回転軸、ロッキングスプラインの長手軸、またはそれらの両方に沿って軸方向に移動してもよく、ロッキングスプラインと係合すると、１つ以上の隣接する部品の回転運動が阻止され、および／または実質的に排除される。スライドロックは、１つ以上の歯、好ましくは複数の歯を含んでいてもよい。１つ以上の歯は、ロッキングスプラインの１つ以上のリブに対応し、歯とリブが交互の構成を形成してもよい。１つ以上の歯と１つ以上のリブは固定接続を確立してもよく、これが回転運動を阻止し、ロック状態を形成し、またはそれらの両方を行う。１つ以上の管は、スライドロックの貫通穴を通って延びてもよい。スライドロックは、ロック位置またはロック状態、ロック解除位置またはロック解除状態との間で移動して、これらを形成できるどのような装置であってもよい。スライドロックは、コレットの中で移動しても、コレットから出入りしても、コレットの軸に沿って移動しても、コレットの中に実質的に格納されても、またはこれらのうちいくつかの態様であってもよい。スライドロックとコレットは嵌合関係を形成してもよく、それによってコレットはロック位置とロック解除位置の一方または両方でのスライドロックの回転運動を防止する。スライドロックは、コレット内の１つ以上の対応するトラックの中でスライドする１つ以上のレールを含んでいてもよい。
【００３３】
１つ以上のレールは、スライドロックの、先端の隣接する部品との接続を確立して、１つ以上の管の周りの回転が阻止されるようにするどのような特徴物であってもよい。１つ以上のレールはスライドロックの、スライドロックから延び、隣接する部品の隣接する隆条部、肩部、延長面のいずれかまたはこれらのうちいくつかを組合せたものと接触する隆条部、肩部、延長面のいずれかまたはこれらのうちいくつかを組合せたものを形成して、２つの部品の相互に関する回転運動が実質的に限定され、および／または阻止されるようにする部品であってもよい。好ましくは、１つ以上のレールは上面と下面を有していてもよく、これらはコレット内に形成されるトラック間に、およびその中へと延びる。１つ以上のレールは、スライドロックからの延長であってもよい。１つ以上のレールは、レールが隣接する部品と固定接続を確立するどんな大きさと形状であってもよい。１つ以上のレールは正方形、長方形、丸、楕円、菱形、対称、非対称、波状、平面状、非平面状、幾何学形状、非幾何学形状のいずれかまたはこれらの組合せであってもよい。好ましくは、スライドロックは実質的に平行な少なくとも２つの概して長方形のレールを含んでおり、レールが、スライドロックが１つ以上の管の軸に沿ってスライドするのを支援し、軸周りのスライドロックの回転運動を阻止する。トラックは、コレットの中および／またはそれに沿ったいずれの面であってもよく、これは隆条部、肩部、延長面のいずれかまたはこれらの組合せを形成する上面と下面を含んでいてもよい。コレットは、１つ以上のトラック、好ましくは２つまたはそれ以上のトラック、最も好ましくは３つのトラックを含んでいてもよい。１つ以上のトラックは、コレットの内側壁と外側壁の一方または両方の凹部および／または貫通穴であってもよい。１つ以上のトラックは、コレットの側壁の中の材料のない部分であってもよく、トラックの１つ以上がその中へと、またはそれを通って、またはそれらの両方に延びる。１つ以上のトラックは、スライドロックのコレットに関する回転運動を阻止するのを支援する貫通穴、凹部、およびスライド面の組合せたものであってもよい。１つ以上のトラックは、レールの形状、大きさ、構成と実質的に同一のどのような形状、大きさ、構成であってもよく、これによってレールがトラックに沿って軸方向にスライドし、トラックが１つ以上の管の軸の周囲の回転運動を阻止する。１つ以上のレールの一方は作動接続部であってもよい。
【００３４】
作動接続部は、スライドロックの、ロックレバーとの接続を確立するどのような部品であってもよく、使用者はこのロックレバーを作動させてスライドロックを軸方向に移動させる。作動接続部は、スライドロックに対し、固定接続を確立しても、回転可能に接続されても、取り外し可能に接続されても、更にはこれらを組合せたものであってもよい。作動接続部はロックレバーと接続されてもよく、それによってロックレバーがスライドロックを軸方向に移動させて、ロッキングスプラインと接続させてもよい。作動接続部は、ロックレバーによって押し込み、および／または引っ張り、スライドロックを移動させるような１つ以上の特徴物を含んでいてもよい。作動接続部の全部または一部は、ロックおよび／またはロック解除中にロックレバーが作動接続部の中でスライドするように、平坦であっても、角度が付けられていても、テーパが付けられていても、これらの組合せであってもよい。
【００３５】
ロックレバーは、機械的筐体の中にある部分と、機械的筐体の外にある部分を有して、使用者が外管、中間管、内管のいずれか、またはこれらのうちいくつかの位置をロックし、また回転運動のためにロック解除することができるようなどのような装置であってもよい。ロックレバーは、作動接続部、ブレードモジュールの一部分、またはこれらの両方に接続される１つ以上の肩部を含んでいてもよい。ロックレバーは、１つ以上の肩部の周囲で回動して、ロック位置とロック解除位置を形成してもよい。機械的筐体は、肩部の１つまたは両方を保持する座を含んでいてもよい。機械的筐体はブレードモジュールを含んでいてもよく、ロックレバーがブレードモジュールの一部分を通って延び、ロックレバーの一部分が露出して使用者が作動できるようになっていてもよい。ブレードモジュールは制御筐体と接続筐体を含んでいてもよく、ロックレバーは制御筐体と接続筐体の一方または両方まで及び、および／またはそれに接続されてもよい。好ましくは、ロックレバーは制御筐体の一部分と連通し、そこまで及ぶ。制御筐体は１つ以上の貫通穴を含んでいてもよく、それによってロックレバーがスライドロックまで及び、それと連通してもよい。ロックレバーは、ロックレバーを作動接続部に接続するフックを含んでいてもよい。ロックレバーはロッキングタブを含んでいてもよい。ロッキングタブは、ロックレバーの、ロックレバーをロック位置もしくはロック状態、またはロック解除位置もしくはロック解除状態、またはこれらの両方に保持するどのような部分であってもよい。好ましくは、ロッキングタブは機械的筐体との固定接続を確立し、それによって使用中に外管、中間管、内管のいずれか、またはこれらのうちいくつかが回転して屈曲部の方向が変化することが阻止される。例えば、ロックレバーがロック状態にある時、ノーズコーンは中間管を回転させてもよく、内管が回転して切除が行われてもよいが、外管、中間管、内管それぞれの屈曲部の長手軸周りでの回転は阻止され、向きは一定のままとなる。より好ましくは、ロッキングタブは接続筐体の上のロッキング特徴物との固定接続を確立し、それによってロックレバーは、ロックレバーがロック位置とロック解除位置の一方または両方の位置にある時に固定される。ブレードモジュールの接続筐体と制御筐体の一方または両方は機械的筐体の中のいずれの位置にあってもよい。制御筐体は、１つ以上の電気部品（すなわち、回路）、１つ以上の機械的部品のいずれかまたはそれらの両方を含んでいてもよい。交換式先端は、探り針、１つ以上の接続タブ、ドライブアタッチメントのいずれかまたはこれらの組合せを含む機械的機能を含んでいてもよく、この機械的機能は本明細書で論じる処置の１つ以上を実行してもよい。交換式先端は、回路を格納する筐体を含んでいてもよい。ブレード回路、コネクタ、識別回路、制御回路、コネクタのいずれかまたはこれらの組合せに関するその他の教示は、２０１２年３月１４日に出願された米国特許出願第１３／８０３，３８０号の段落５〜９と００２４〜００５３および図１〜７０ならびにそれに対応する段落００５４〜００６４の説明文を含む本明細書の開示から抽出されてもよく、同出願を、すべて機械的筐体の中に組み込むことのできるブレード回路、コネクタ、識別回路、制御回路、コネクタ、検出回路、またはこれらの組合せに関してあらゆる目的のために参照によって本願に援用する。
【００３６】
機械的筐体は、使い捨てブレードの１つ以上の可動部品を格納するどのような装置であってもよい。ブレードモジュールは、使用者が把持する固定部分であってもよい。ブレードモジュールは、ノーズコーンに関して固定されていてもよい。機械的筐体は、１つ以上の機能ボタンを含んでいてもよい。好ましくは、ブレードモジュールは少なくとも制御筐体と接続筐体を含み、これらは機械的筐体の一部分を形成する。より好ましくは、接続筐体は座を含み、これはロックレバーとの可動接続、回動可能接続のいずれかまたはこれらの両方を確立し、それによってロックレバーがロック位置とロック解除位置との間で移動されてもよい。ロックレバーは軸方向に遠位方向へと前方に移動し、ロックレバーが近位方向へと後方に移動される時には接続筐体の座の周りで回動してもよい。例えば、ロックするための一連の動作において、ロッキングレバーは「シーソー」（すなわち、一方の端が第一の方向に移動可能で、もう一方の端が反対方向に移動可能）であってもよい。ロックレバーは、ロッキングタブとロッキング特徴物との間の接続が解除されると、付勢部材によって作動されてもよい。
【００３７】
１つ以上の付勢部材は、機械的筐体の中の、付勢部材がスライドロックとロックレバーの一方または両方がロック位置からロック解除位置へと、またはその逆に移動するのを支援するいずれの位置に位置付けられていてもよい。付勢部材は、スライドロックをロック解除位置に移動させること、または使い捨てブレードの近位端に向かって移動させること、またはロッキングスプラインから反対に移動させること、またはこれらの移動のうちいくつかを支援するどのような部材であってもよい。付勢部材は、スライドロックをロッキングスプラインの長手軸に沿って、または外管、中間管、内管のいずれかの回転軸、もしくはこれらの管のうちのいくつかの回転軸に沿って、またはコレットの長手軸と外ハブの長手軸の一方また両方に沿って、移動させてもよい。付勢部材は、バネ、ゴムの小片、その他、またはこれらのうちいくつかを組合せたものであってもよく、これがスライドロック、ロックレバーのいずれかまたはこれらの両方を移動させるのを支援する。好ましくは、付勢部材はロッキングスプラインの周囲にあり、スライドロックがロッキングスプラインの周囲に及ぶと、付勢部材がノーズコーンとスライドロックとの間で圧縮され、スライドロックを圧迫する。付勢部材は、ロッキングスプラインと１つ以上のシムの周囲に設けられていてもよい。
【００３８】
１つ以上のシムは、ロッキングスプラインとノーズコーンとの間に位置付けられてもよく、ロッキングスプラインをノーズコーンから軸方向に離間させること、またはロッキングスプラインとノーズコーンとの間の固定接続を防止すること、更にはこれらの両方を支援してもよい。１つ以上のシムは、２管システムと３管システムにおいてのみ使用可能である。
【００３９】
図１は、使い捨てブレード２が角度が付いて屈曲した先端４を有することを示している。先端４は、機械的筐体８に接続される。機械的筐体は、使い捨てブレード２の構成要素を格納するためのブレードモジュール７０を含む。
【００４０】
図２は、使い捨てブレード２が屈曲部６と窓１０を持つ先端４を有することを示している。先端４は、機械的筐体８に接続される。機械的筐体は、使い捨てブレード２の構成要素を格納するためのブレードモジュール７０を含む。先端４は屈曲部６の形状に適合する回転軸１００を有し、先端４はその長さに沿って回転軸１００の周りに回転する。
【００４１】
図２Ａと２Ｂは、図２に示すロッキング位置にある時の使い捨てブレードの分解図を示す。先端４は外管２０と内管２４を含む。外管２０と内管２４の両方が屈曲部６を含む。先端４はノーズコーン３０を通って延びることによって、機械的筐体８に接続される。ノーズコーン３０は、ノーズコーン３０の中でロッキングスプライン３４と付勢部材４０を軸方向に離間させるためのシム３２（図示せず）を含む。スライドロック４４はロックレバー５２と連通する。ロックレバー５２はスライドロック４４をロック位置（図２Ａに示される）とロック解除位置（図２Ｂに示される）との間で移動させるために使用される。ロックレバー５２がロック位置に移動されると、ロックレバー５２がスライドロック４４をロッキングスプライン３４の表面に沿って押し、ロッキングスプライン３４のリブ３６がスライドロック４４上の歯４８（図示せず）と係合する。任意選択によるノーズピース歯車４２はノーズコーン３０の中へと延び、スライドロック４４の周囲に延びる。ノーズコーン３０は、それが回転されると先端４の窓１０（図示せず）を回転させる。コレット５４は、使い捨てブレードの動作中に回転する外ハブ６０を覆う。制御筐体７２と接続筐体７４はノーズコーン３０の後方の筐体を形成する。スライドロック４４の少なくとも一部分はロックレバー５２を支持するのを支援する。外ハブ６０の少なくとも一部分は制御筐体７２と接続筐体７４の外に延びて、外ハブ６０がモータ（図示せず）との接続を確立するのを支援する。リング８２は外ハブ６０の端領域に位置付けられ、先端を密閉するのを支援する。図２Ａに示されるように、付勢部材４０は、ロックレバー５２がロック位置に後退されることによって圧縮され、図２Ｂにおいて、付勢部材４０は、ロックレバーがロック解除位置へと解除された時に伸展して、スライドロック４４を元の位置に戻すのを支援する。
【００４２】
図３は、使い捨てブレード２を示す。使い捨てブレードは、機械的筐体８に接続された先端４を含む。先端４は屈曲部６を含み、機械的筐体はブレードモジュール７０を含む。
【００４３】
図３Ａと３Ｂは、図３の使い捨てブレードの分解図を示す。先端４は外管２０と、中間管２２と、内管２４と、を含む。中間管２２は、内管２４を露出させる窓１０を含む。先端４は、ノーズコーン３０を通って延びることによって機械的筐体８に接続される。ノーズコーン３０は、ノーズコーン３０の中でロッキングスプライン３４と付勢部材４０を軸方向に離間させるためのシム３２（図示せず）を含む。スライドロック４４が作動接続部４６によってロックレバー５２に接続される。ロックレバー５２はスライドロック４４をロッキング位置（図３Ａに示される）とロック解除位置（図３Ｂに示される）との間で移動させるために使用される。ロックレバー５２がロック位置へと移動されると、ロックレバー５２はスライドロック４４をロッキングスプライン３４の表面に沿って押し、ロッキングスプライン３４の表面上のリブ３６がスライドロック４４の表面上の歯４８（図示せず）と係合する。ロックレバー５２がロック位置にあると、先端４はその位置にロックされ、先端の屈曲部６は１つの方向を指す。ロックレバー５２が解除されると、先端４を回転させて、屈曲部６が調整されるようにすることができ、屈曲部に関心対象地点に向かって角度を付けることができる。ノーズピース歯車４２はノーズコーン３０中へと延び、スライドロック４４の周囲に延びる。ノーズピース３０の回転中、ノーズピース歯車４２が回転され、ノーズピース歯車４２は１対のピニオン歯車５０を回転させて、中間管２２の窓１０が指向的に関心対象地点に向かって回転される。窓１０は、ロックレバー５２がロック位置（図３Ａ）またはロック解除位置（図２Ｂ）にある時に回転可能である。ピニオン歯車５０は静止コレット５４に接続される。コレット５４は、使い捨てブレードの動作中に回転する外ハブ６０を覆う。制御筐体７２と接続筐体７４はノーズコーン３０の後方の筐体とスライドロック４４の少なくとも一部を形成し、ロックレバー５２を支持するのを支援する。外ハブ６０の少なくとも一部分は制御筐体７２と接続筐体７４の外に出る。図３Ａに示されているように、付勢部材４０は、スライドロック４４がロック位置に後退されるとロックレバー５２によって圧縮され、図３Ｂにおいて、付勢部材４０は、ロックバーがロック解除位置へと解除された時に伸展して、スライドロック４４を元の位置に戻すのを支援する。
【００４４】
図４は、使い捨てブレード２のその他の特徴を示す分解図である。ノーズコーン３０はシム３２と、複数のリブ３６を有するロッキングスプライン３４と、付勢部材４０と、を含む。外管２０はロッキングスプライン３４に接続され、それを通って延びる。付勢部材４０はロッキングスプライン３４とスライドロック４４との間に延びて、スライドロック４４を移動させるのを支援する。スライドロック４４は、スライドロック４４を移動させるロックレバー５２に接続された作動接続部４６を含む。スライドロック４４は、ロックレバー５２がロック解除位置からロック位置へと作動された時にノーズピース歯車４２を通り、ロッキングスプライン３４の上でスライドする。ノーズピース歯車４２は内周上に歯４８を有し、これがピニオン歯車５０の歯５６と接続される。ピニオン歯車５０は、軸受面を介してコレット５４に接続され、これはハンドピース（図示せず）に接続されて、コレット５４は使い捨てブレード２をハンドピースに固定接続するのを支援する。コレット５４の一部分は、制御筐体７２と接続筐体７４によって取り囲まれる。接続筐体７４は穴（図示せず）を含み、そこロックレバー５２が入ってロックされ、ロックレバー５２がロック位置に保持される。窓１０を含む中間管２２がコレット５４、スライドロック４４、ロッキングスプライン３４、ノーズコーン３０を通って延びる。中間管２２は外ハブ６０に接続される。外ハブ６０は歯付部分６２を含み、これがノーズピース３０に間接的に接続される。回転エネルギがノーズピース３０からノーズピース歯車４２とピニオン歯車５０を介して外ハブ６０の歯付部分６２に伝えられて、中間管２２の窓１０が関心対象の方向に回転される。封入コネクタ９０は外ハブ６０の端領域に接続される。２つのリング８２が外ハブ６０上に位置付けられ、コレット５４との接続部が密閉される。封入コネクタ９０は内管を保持するのを支援し、２つのトランスミッタ９２を含み、これらは内ハブ９４内にある２個の磁石８４および再使用可能なハンドピース内の磁気センサ（図示せず）と磁気連接する。これらの磁石とコンソール内のソフトウェアにより、使用者は、最も外側の、窓を有する管の回転位置に関係なく、内側のブレード窓の開閉をトグルすることができる。内管２４は封入コネクタ９０と中間管２２の中へと入り、それを通る。内管２４の端領域は内ハブ９４を含み、これは内管をハンドピース（図示せず）の中のモータ（図示せず）に接続される連結手段（図示せず）に接続する。内ハブ９４は少なくとも部分的に封入コネクタ９０の中へと延びる。内ハブ９４は付勢部材４０と連結シール材９６を含み、内ハブ９４がハンドピースの連結手段に取り外し可能に密着され、接続される。外管２０、中間管２２、内管２４は共通の回転軸１００に沿って延びる。図のように、管の回転軸１００はロッキングスプライン３４の長手軸１０２でもある。
【００４５】
図５は、機械的筐体８の分解図を示す。筐体８は制御筐体７２と接続筐体７４を含み、これらはコレット５４の一部分を取り囲む。接続筐体７４は穴（図示せず）を含み、そしてロックレバー５２は作動接続部４６まで延び、これと接続され、スライドロック４４を移動させることができる。スライドロック４４はレール６４を含み、これはコレット５４の中のトラック５５に沿って移動して、トラック５５がスライドロック４４の回転運動を阻止する。ノーズピース歯車４２がコレット５４の端に接続される。ノーズコーン３０は、付勢部材４０が被さるロッキングスプライン３４を格納し、付勢部材４０はロックレバー５２がロック位置からロック解除位置に移動された時に、スライドロック４４を引き戻すのを支援する。
【００４６】
図６は、ノーズピース歯車４２を示す。ノーズピース歯車４２は内周に沿った歯４３を含む。ノーズピース歯車４２の歯４３はピニオン歯車５０の歯５６と相互に関連付けられ、ノーズコーン３０（図示せず）を回転させると、ノーズピース歯車４２がピニオン歯車５０を回転させる。ピニオン歯車５０はコレット５４に接続され、ピニオン歯車は静止したままである。スライドロック４４はノーズピース歯車４２を通ってスライドし、内側の歯４８がロッキングスプライン３４（図示せず）と接触する。スライドロック４４は、制御筐体７２の座７６の上に載るロックレバー５２によって移動される。
【００４７】
図７は、ノーズコーン３０の構成要素の分解図を示す。ノーズコーン３０は、ノーズコーン３０に接続されたロッキングスプライン３４と共にシム３２を含む。ロッキングスプライン３４は、スライドロック４４（図示せず）との固定接続を確立するリブ３６を含む。付勢部材４０がスライドロック４４（図示せず）とシム３２との間に取り付けられ、スライドロック４４（図示せず）の引き戻しを支援する。
【００４８】
図８は、ノーズコーン３０に接続されたロッキングスプライン３４を示す。ロッキングスプライン３４はリブ３６を含む。外ハブ６０には歯付部分がなく、歯付部分がない領域がノーズコーン３０の中へと延びる。
【００４９】
図９は、ノーズコーン３０の中に嵌め込まれたノーズピース歯車４２を示す。スライドロック４４はコレット５４から延びている。ピニオン歯車５０はコレット５４に接続され、トラック５５がコレット５４の長手軸に沿って延びる。
【００５０】
図１０は、ピニオン歯車５０を支持するコレット５４を示す。２個のピニオン歯車５０はオフセットしており、ピニオン歯車５０Ｂはノーズピース歯車４２との回転接続を確立する。ピニオン歯車５０Ｂはピニオン歯車５０Ａとの接続を確立して、回転力がピニオン歯車５０Ａと５０Ｂとの間で伝達される。ピニオン歯車５０Ａは外ハブ６０の歯付部分６２との回転接続を確立し、回転力がピニオン歯車５０Ａから外ハブ６０へと伝えられる。使用者は窓１０（図示せず）を回転させるためにノーズコーン３０（図示せず）を回転させ、これがノーズピース歯車４２を回転させ、ノーズピース歯車４２はピニオン歯車５０Ｂを回転させ、ピニオン歯車５０Ｂはピニオン歯車５０Ａを回転させ、これがその後、外ハブ６０を回転させ、これが窓１０（図示せず）を回転させる。スライドロック４４は部分的にコレット５４の外に延び、スライドロック４４のレール６４がコレット５４の中のトラック５５の中へと延び、スライドロック４４の回転運動が阻止される。スライドロック４４はロッキングスプライン３４の表面のリブ３６に接続するための歯４８を含む。
【００５１】
図１１は、窓１０（図示せず）が関心対象地点まで回転することができるようにする回転構成要素の各々の接続を示す。外ハブ６０は歯付部分６２を有し、これはノーズピース歯車４２の中へと延び、２つのピニオン歯車５０Ａと５０Ｂの一方と接触する。ノーズコーン３０（図示せず）を回転させると、回転力がノーズピース歯車４２に伝達される。ノーズピース歯車４２は歯４３を含み、これが回転して、回転エネルギを第一のピニオン歯車５０Ａの歯５６に伝える。第一のピニオン歯車５０Ａの歯５６は回転エネルギを第二のピニオン歯車５０Ｂに伝える。第二のピニオン歯車５０Ｂの歯５６は、３管システムの中の中間管２２または２管システムの外管２０に接続される回転外ハブ６０の歯付部分６２と回転接続する。第一のピニオン歯車５０Ａの歯５６は、内ハブ６０の歯付部分６２と直接連接しない（すなわち、間隙を含む）。第二のピニオン歯車５０Ｂの歯５６は、ノーズピース歯車４２の歯４３と直接連接しない（すなわち、間隙を含む）。
【００５２】
図１２は、付勢部材４０とロッキングスプライン３４を含むノーズコーン３０を示している。ロッキングスプライン３４は外管２０の端に接続される。外管２０の端はスロット２６を含み、これはロッキングスプライン３４のそれに対応するタブ２８と嵌合し、ロッキングレバー（図示せず）がロック位置にある時、外管２０の回転が阻止される。
【００５３】
図１３は、外管２０まで延び、外管２０の端が露出されるようなロッキングスプライン３４を示している。外管２０はスロット２６を含み、これはロッキングスプライン３４のタブ２８に連結され、装置がロックされた時に外管２０の回転が阻止される。
【００５４】
図１４は、ロッキングスプライン３４に接続されたスライドロック４４を示す。ロッキングスプライン３４のリブ３６にはテーパが付き、それによって装置がロックされた時にスライドロック４４の歯４８がスライドして固定接続状態となる。スライドロック４４は付勢部材４０を圧縮する。スライドロック４４は作動接続部４６を含み、これはロックレバー５２（図示せず）に連結されて、スライドロック４４を移動させる。
【００５５】
本明細書に記載される数値は、低い方の数値と高い方の数値との間が少なくとも２単位離れているかぎり、低い方の数値から高い方の数値まで１単位ずつ増えるすべての数値を含む。例えば、ある構成要素の量またはプロセス可変値、例えば温度、圧力、時間その他の数値が、例えば１〜９０、好ましくは２０〜８０、より好ましくは３０〜７０と明記されている場合、１５〜８５、２２〜６８、４３〜５１、３０〜３２等の数値も本明細書の中で明確に列挙されているものとする。１未満の数値については、１単位は場合に応じて０．０００１、０．００１、０．０１または０．１と考えられる。これらは、明確に意図されたものの例に過ぎず、列記された最低値と最高値の間の数値のあらゆる考えうる組合せが本明細書中に同様の方法で明記されていると考えられる。
【００５６】
別段の明記がないかぎり、すべての範囲は終点と終点間のすべての数字を含む。ある範囲に関連する「約」または「概して」の使用は、その範囲の両端に適用される。それゆえ、「約２０〜３０」は「約２０〜約３０」も含むと意図され、少なくとも明示された終点を含む。
【００５７】
特許出願と公開を含むすべての記事と参照文献の開示は、あら目的のために参照によって本願に援用される。組合せを説明するための「基本的に〜からなる」という用語は、明記された要素、成分、構成要素、またはステップと、その組合せの基本的および新規の特徴に実質的に影響を与えないその他の要素、成分、構成要素、またはステップを含むものとする。本明細書の中の要素、成分、構成要素またはステップの組合せを説明するための「〜を含む」、「〜を包含する」という用語の使用はまた、基本的に要素、成分、構成要素、またはステップからなる実施形態を想定するものである。本明細書中の「〜してもよい」という用語の使用によって、含め「てもよい」と記載された属性がすべて任意選択によるものとされる。
【００５８】
複数の要素、成分、構成要素、またはステップを、単独の一体化された要素、成分、構成要素、またはステップによって提供できる。あるいは、単独の一体化された要素、成分、構成要素、またはステップを、別々の複数の要素、成分、構成要素、またはステップに分割してもよい。ある要素、成分、構成要素、またはステップを説明するための不定冠詞（ａ）または「１つの」という開示は、その他の要素、成分、構成要素、またはステップを除外しようとするものではない。
【００５９】
当然のことながら、上記の説明は例示的であって限定的とされるものではない。上記の説明を読んだ当業者にとっては、開示されている例のほかに多くの実施形態と多くの応用が明らかとなるであろう。したがって、教示の範囲は上記の説明を参照して判断されるべきではなく、添付の特許請求の範囲と、これらの特許請求範囲に適用される均等物の全範囲を併せて判断されるべきである。特許出願と公開を含むすべての記事と参照文献は、あらゆる目的のために参照によって本願に援用される。本明細書で開示される主旨のいずれかの態様が以下の特許請求の範囲の中で省かれていても、かかる主旨が放棄されたことにはならず、また発明者がこれらの主旨を開示された発明的主旨の一部と考えなかったとみなされるべきではない。
【図１】
2016507342.tif 000003
【図２】
2016507342.tif 000004
【図２Ａ】
2016507342.tif 000005
【図２Ｂ】
2016507342.tif 000006
【図３】
2016507342.tif 000007
【図３Ａ】
2016507342.tif 000008
【図３Ｂ】
2016507342.tif 000009
【図４】
2016507342.tif 000010
【図５】
2016507342.tif 000011
【図６】
2016507342.tif 000012
【図７】
2016507342.tif 000013
【図８】
2016507342.tif 000014
【図９】
2016507342.tif 000015
【図１０】
2016507342.tif 000016
【図１１】
2016507342.tif 000017
【図１２】
2016507342.tif 000018
【図１３】
2016507342.tif 000019
【図１４】
2016507342.tif 000020
【手続補正書】
【提出日】平成27年8月31日(2015.8.31)
【手続補正１】
【補正対象書類名】特許請求の範囲
【補正対象項目名】全文
【補正方法】変更
【補正の内容】
【特許請求の範囲】
【請求項１】
ａ．２つまたはそれ以上の管を含む先端（４）であって、２つまたはそれ以上の管が少なくとも
ｉ．外管（２０）と、
ｉｉ．内管（２４）と、
を含むような先端（４）と、
ｂ．機械的筐体（８）であって、
ｉ．長手軸を有するロッキングスプライン（３４）と、
ｉｉ．スライドロック（４４）と、
を含むような機械的筐体（８）と、
を含むブレードアセンブリ（２）において、
スライドロックがロッキングスプラインの長手軸に沿って外管（２０）とロッキングスプラインの周囲でスライドしてロッキングスプラインとのロック状態を確立し、ロッキングスプラインの長手軸の周囲でのロッキングスプラインの回転運動が阻止され、
外管がロッキングスプラインに連結されて、ロック状態にある時にロックキングスプラインの長手軸の周囲での外管の回転運動が阻止される、
ブレードアセンブリ（２）。
【請求項２】
請求項１に記載のブレードアセンブリにおいて、
スライドロックが、スライドロックをロックレバーに接続する作動接続部（４６）を含む、ブレードアセンブリ。
【請求項３】
請求項２に記載のブレードアセンブリにおいて、
機械的筐体がスライドロックを少なくとも部分的に覆う制御筐体（７２）と接続筐体（７４）を含み、
ロックレバーが接続筐体まで及び、ロックレバーが露出されて使用者が作動できるようになっている、
ブレードアセンブリ。
【請求項４】
請求項１〜３のいずれか１項に記載のブレードアセンブリにおいて、
付勢部材（４０）がスライドロックとロッキングスプラインとの間に位置付けられ、付勢部材が、スライドロックをロッキングスプラインから外れるように移動させてロック解除状態を確立する、ブレードアセンブリ。
【請求項５】
請求項１〜４のいずれか１項に記載のブレードアセンブリにおいて、
スライドロックが、ロッキングスプラインの１つ以上のリブと対応する１つ以上の歯（４８）を含み、スライドロックがロッキングスプラインの周囲でスライドしてロック状態になると、１つ以上のリブと１つ以上の歯が固定接続を確立し、外管とロッキングスプラインの一方または両方の回転を阻止し、
ロッキングスプラインが外管のスロットに対応するタブ（２８）を含み、外管とロッキングスプラインが固定接続を確立する、
ブレードアセンブリ。
【請求項６】
請求項１〜５のいずれか１項に記載のブレードアセンブリにおいて、
スライドロックがコレット（５４）の中に格納され、コレットがハンドピースの中へと延びて、ブレードアセンブリをハンドピースに接続するのを支援し、コレットがハンドピースに固定されて、コレットが回転運動、横方向移動、長手方向移動、またはこれらの組合せを行わないようになっている、ブレードアセンブリ。
【請求項７】
請求項１〜６のいずれか１項に記載のブレードアセンブリにおいて、
先端の少なくとも２つの管が３つの管を含み、外管が、曲げ部を形成して外管内に位置付けられている中間管と内管がある角度で曲げられるような剛なシースである、ブレードアセンブリ。
【請求項８】
ａ．３つまたはそれ以上の管を含む先端（４）であって、３つまたはそれ以上の管が少なくとも
ｉ．外管（２０）と、
ｉｉ．内管（２４）と、
ｉｉｉ．少なくとも部分的に内管と外管との間に位置付けられた中間管（２２）と、
を含むような先端（４）と、
ｂ．機械的筐体（８）であって、
ｉ．ノーズピース歯車（４２）を有するノーズコーン（３０）と、
ｉｉ．ノーズピース歯車と連接する１つ以上のピニオン歯車（５０）を有するコレット（５４）と、
を有する機械的筐体（８）と、
を含むブレードアセンブリ（２）において、
中間管がコレットを通って延びる外ハブに接続され、外ハブが１つ以上のピニオン歯車と連接して、ノーズコーンの回転が中間管の回転を引き起こす歯付部分を含む、ブレードアセンブリ。
【請求項９】
請求項８に記載のブレードアセンブリにおいて、
１つ以上のピニオン歯車が２つのピニオン歯車であり、それによって中間管がノーズコーンと同じ方向に回転する、ブレードアセンブリ。
【請求項１０】
請求項８または９に記載のブレードアセンブリにおいて、
中間管が、内管の少なくとも一部分を露出させる窓（１０）を含み、
内管が中間管と外管の一方または両方から独立して回転する、
ブレードアセンブリ。
【手続補正２】
【補正対象書類名】明細書
【補正対象項目名】００１０
【補正方法】変更
【補正の内容】
【００１０】
【図１】角度の付いた先端を有するブレードアセンブリの図である。
【図２】角度の付いた先端を有するブレードアセンブリの図である。
【図２Ａ】ブレード先端がロック位置にある時の、図２の角度の付いた先端の１つの実施形態の分解図である。
【図２Ｂ】ブレードがロック解除位置にある時の、図２の角度の付いた先端の１つの実施形態の分解図である。
【図３】角度の付いた先端を示す図である。
【図３Ａ】ブレード先端がロック位置にある時の、図３の角度の付いた先端の１つの実施形態の分解図である。
【図３Ｂ】ブレード先端がロック解除位置にある時の、図３の角度の付いた先端の１つの実施形態の分解図である。
【図４】３つの管を有するブレードアセンブリの分解図である。
【図５】分解された機械的筐体の斜視図である。
【図６】分解された機械的筐体の前方斜視図である。
【図７】ノーズコーンの分解図である。
【図８】外ハブに接続されたノーズコーンを示す図である。
【図９】ノーズコーンとコレットを示す図である。
【図１０】コレットの斜視図である。
【図１１】本願の教示の歯車の斜視図である。
【図１２】ノーズコーンを示す図である。
【図１３】ロッキングスプラインを示す図である。
【図１４】ロッキングスプラインとスライドロックを示す図である。
【手続補正３】
【補正対象書類名】明細書
【補正対象項目名】００１４
【補正方法】変更
【補正の内容】
【００１４】
外管は、内管と中間管の一方または両方の全部または一部を格納するシースであってもよい。外管は先端の外面を形成し、流体、手術によるデブリ、潅流液のいずれか、またはこれらのうちいくつかが外管の中を関心対象部位へ、および／または関心対象部位から通過できるようなどのような管であってもよい。外管は、外管が内管、または中間管、またはそれらの両方の保護を支援するようなどのような形状、大きさ、形態、またはこれらの組合せであってもよい。外管は、外管が手術にとって有益であり、低侵襲手術にとって好ましいものとなるようなどのような大きさと形状であってもよい。外管は、１つ以上の管が外管の中に適合されて、流体、手術によるデブリ、潅流液のいずれか、またはそれらのうちいくつかが外管の中を関心対象部位へ、および／または関心対象部位から通過できるのに十分な大きさであってもよい。外管は、内径と外径を含む。内径は、１つ以上の、好ましくは２つまたはそれ以上の管が外管の内径に適合されて、流体、手術によるデブリ、潅流液、またはこれらの組合せが外壁の中を関心対象部位へ、および／または関心対象部位から通過できるのに十分な大きさであってもよい。内径は約１ｍｍ以上、約２ｍｍ以上、または約３ｍｍ以上であってもよい。内径は約７ｍｍ以下、約６ｍｍ以下、または約５ｍｍ以下であってもよい。外径は内径の約＋０．１ｍｍ、約＋０．５ｍｍ、または約＋１．０ｍｍであってもよい。外管の直径は、外管が曲がり部を含むのに十分な大きさであってもよい。
【手続補正４】
【補正対象書類名】明細書
【補正対象項目名】００１８
【補正方法】変更
【補正の内容】
【００１８】
中間管は、外管の全部または一部の中に延びてもよい。中間管は外管の一方または両方の端を通って全体に延びていてもよい。中間管は内管の全部または一部を露出させる窓を含んでいてもよい。中間管は開放端を含み、内管が中間管から外に延びるようになっていてもよい。中間管と外管の一方または両方の窓は、内管がデブリドマン（例えば、切除、削り取り、平滑化、除去、その他、またはこれらのうちいくつか）を行うのに十分な量だけ露出するのに十分に大きくてもよい。中間管と外管の一方または両方の窓は、器材を低侵襲デブリドマンに使用できるように十分に小さくてもよい。外管の窓と中間管の窓は、実質的に同じ大きさであってもよい。中間管と外管の一方または両方の窓は、先端の遠位端領域（例えば、先端のうち、患者に近く、使用者から遠い領域）の中に位置付けられてもよい。中間管と外管の一方または両方の窓は、約１５度以上、約３０度以上、約４５度以上、約６０度以上、約９０度以上、約１１５度以上、約１３５度以上、または約１５０度以上にわたっていてもよい。中間管と外管の一方または両方の窓は、約３００度以下、約２７０度以下、約２３５度以下、または約２００度以下にわたっていてもよい。内管は切除面を有していてもよく、これは窓と実質的に同じ大きさであり、それによって切除窓と切除窓の切除面が２つの対向する切除部分を形成し、これがデブリドマンを支援する。
【手続補正５】
【補正対象書類名】明細書
【補正対象項目名】００４６
【補正方法】変更
【補正の内容】
【００４６】
図６は、ノーズピース歯車４２を示す。ノーズピース歯車４２は内周に沿った歯４３を含む。ノーズピース歯車４２の歯４３はピニオン歯車５０の歯５６と相互に関連付けられ、ノーズコーン３０（図示せず）を回転させると、ノーズピース歯車４２がピニオン歯車５０を回転させる。ピニオン歯車５０はコレット５４に接続され、ピニオン歯車は静止したままである。スライドロック４４はノーズピース歯車４２を通ってスライドし、内側の歯４８がロッキングスプライン３４（図示せず）と接触する。スライドロック４４は、接続筐体７４の座７６の上に載るロックレバー５２によって移動される。
【手続補正６】
【補正対象書類名】明細書
【補正対象項目名】００５１
【補正方法】変更
【補正の内容】
【００５１】
図１１は、窓１０（図示せず）が関心対象地点まで回転することができるようにする回転構成要素の各々の接続を示す。外ハブ６０は歯付部分６２を有し、これはノーズピース歯車４２の中へと延び、２つのピニオン歯車５０Ａと５０Ｂの一方と接触する。ノーズコーン３０（図示せず）を回転させると、回転力がノーズピース歯車４２に伝達される。ノーズピース歯車４２は歯４３を含み、これが回転して、回転エネルギを第一のピニオン歯車５０Ａの歯５６に伝える。第一のピニオン歯車５０Ａの歯５６は回転エネルギを第二のピニオン歯車５０Ｂに伝える。第二のピニオン歯車５０Ｂの歯５６は、３管システムの中の中間管２２または２管システムの外管２０に接続される回転外ハブ６０の歯付部分６２と回転接続する。第一のピニオン歯車５０Ａの歯５６は、外ハブ６０の歯付部分６２と直接連接しない（すなわち、間隙を含む）。第二のピニオン歯車５０Ｂの歯５６は、ノーズピース歯車４２の歯４３と直接連接しない（すなわち、間隙を含む）。
【国際調査報告】
2016507342.tif 000021
2016507342.tif 000022
2016507342.tif 000023
2016507342.tif 000024
2016507342.tif 000025